(57)【要約】【課題】  上位ホストＰＣから離れた場所に設置されたプリンタ装置に出力する場合など、オペレータが、印刷システムに到着する以前に印刷物が出力されてしま場合に、他人に印刷結果を読まれてしまう可能性が生じる問題があった。【解決手段】  プリンタドライバを備えた上位ホストPCと、上位コンピュータから印刷用データを受信し、前記印刷用データを展開してラスタデータに変換する展開処理部と大容量記録装置を備えた印刷システムにおいて、印刷を開始させるキー操作を印刷データの１部に加えて送信するプリンタドライバと、ユーザインタフェースから印刷を開始させるキー操作を入力させる手段と、前記入力されたキー操作と印刷データに含まれるキー操作が一致した時に印刷開始する手段とを有することを特徴とする。【選択図】図１
2005202748.tif 000002
【特許請求の範囲】
【請求項１】
プリンタドライバを備えた上位ホストPCと、上位コンピュータから印刷用データを受信し、前記印刷用データを展開してラスタデータに変換する展開処理部と大容量記録装置を備えた印刷システムにおいて、印刷を開始させるキー操作を印刷データの１部に加えて送信するプリンタドライバと、ユーザインタフェースから印刷を開始させるキー操作を入力させる手段と、前記入力されたキー操作と印刷データに含まれるキー操作が一致した時に印刷開始する手段とを有することを特徴とする印刷システム。
【発明の詳細な説明】
【技術分野】
【０００１】
本発明は、上位ホストコンピュータから印刷用データを受信し、印刷用データの解析、展開を行い、印刷の制御を行う印刷システムに関するものである。
【背景技術】
【０００２】
図４にハードディスクなど大容量記憶装置を備えた印刷システムの構成を示す。
上位コンピュータ４は、プリンタドライバ５に印刷データを作成させる命令を発行し、プリンタドライバ５で作成した印刷データをプリンタ印刷装置６へ、送信する機能を有している。プリンタ印刷装置６では、受信処理７で印刷データを受信し、そのデータを受信バッファ１１へ格納する。
【０００３】
受信処理７のデータ受信と平行して、展開処理８は、受信バッファ１１のデータを順次読み出し、解析し、描画データを作成し、描画メモリ１２へ書き込み、一頁分の描画データが作成終了すると、描画データを大容量記録装置１３に転送を実行する。エンジン制御処理１４では、1ジョブ分の展開処理が終了すると、大容量記録装置１３に格納されている前記1ジョブ分の描画データを読出し、印刷動作を実行する。また、印刷システムには、印刷システムの状態を表示したり、印刷する為のパラメータを設定する操作パネル９を有し、その操作パネル９は操作パネル処理１０によって制御される。
【０００４】
次に、印刷システムの制御手順を図３により説明する。
【０００５】
上位コンピュータ４から送信されたデータを受信し、前記データを順次読み出し、描画データを作成し、１ページ分の描画データの作成を完了するまで、前記処理を繰返す。１ページ分の描画データの作成を完了した場合には、描画データを大容量記憶装置１３に転送する。１ジョブ分の描画データを大容量記憶装置１３に転送完了するまで繰返す。１ジョブ分の転送が完了後、エンジン制御処理１４へ印字命令を行い、前記大容量記憶装置１３に格納した描画データを印刷する。印刷終了後、前記大容量記憶装置１３に格納した描画データを削除することで、印刷動作を完了する。
【０００６】
プリントドライバ５では、上位コンピュータ４で作成したアプリケージョンデータ、用紙サイズなどプリントドライバで設定可能なデータを元に、印刷データを作成する。前記印刷データは図６に示すように、印刷形式情報を納めたヘッダー部と印刷データ部で構成される。
【０００７】
前記の一般的なプリンタ制御装置に対し、個人情報など守秘性ある印刷する場合であっても、一度印刷データ送信すると、自動的に出力されてしまい、印刷装置が離れた場所にあるような場合では、印刷装置に到着するより先に出力されてしまい、他人に印刷結果を読まれてしまうという問題があった。
【０００８】
上記問題を解決する手段として、上位ホストＰＣに搭載されているプリンタドライバに対し、暗証番号を入力させる機能と入力された暗証番号を印刷データに加えて送信する機能を付加し、ハードディスクなど大容量記憶装置を備えた印刷システムにおいて、印刷データに加えられた暗証番号を読み取る機能、オペレータパネルなどユーザインタフェースから暗証番号を入力する機能、暗証番号管理テーブルを設け、入力された暗証番号と大容量記憶装置内に格納されている印刷データの暗証番号を比較し、一致した場合に印刷する機能を有することで、暗証番号の入力無しに印刷を開始させないように制御することから、必ずオペレータが印刷システム前にいる状態になることで、他人に印刷結果を見られることが無くなり、前記課題を解決する方法がある（例えば、特許文献１参照。）。
【０００９】
【特許文献１】特開２００３−１５４１６４号公報
【発明の開示】
【発明が解決しようとする課題】
【００１０】
個人情報など他人に読まれたくない情報を印刷する場合であっても、印刷データを送信すると印刷システムは順次印刷する。上位ホストＰＣから離れた場所に設置されたプリンタ装置に出力する場合など、オペレータが、印刷システムに到着する以前に印刷物が出力されてしまう場合に、他人に印刷結果を読まれてしまう可能性が生じる問題があった。オペレータにオペレータパネルから、暗証番号の入力させることにより印刷を開始する方法もあるが、オペレータパネルの物理的制限のため、暗証番号を入力させることが困難な場合や、操作性が悪い場合があった。
【課題を解決するための手段】
【００１１】
本発明は、印刷を開始させるキー操作を印刷データの１部に加えて送信するプリンタドライバと、ユーザインタフェースから印刷を開始させるキー操作を入力させる手段と、前記入力されたキー操作と印刷データに含まれるキー操作が一致した時に印刷開始する手段とを有することを特徴とする。
【発明の効果】
【００１２】
本発明によれば、オペレータパネルのボタンを押下する任意の組み合わせを印刷開始の暗号とすることにより、必ずオペレータが印刷システム前にいる状態になることで、他人に印刷結果を見られることが無く、かつ操作性も向上する。
【発明を実施するための最良の形態】
【００１３】
オペレータパネルのボタンを押下する任意の組み合わせを印刷開始の暗号とすることにより、必ずオペレータが印刷システム前にいる状態になることで、他人に印刷結果を見られることが無く、かつ操作性を向上させた。
【００１４】
以下、本発明の実施例を図１,図２，図５，図７及び図８により説明する。
【００１５】
図２において、従来のプリンタドライバ５に対して、新たに印刷開始キー入力処理１５と印刷開始キー送信処理１６を追加している。本実施例で使用したオペレータパネル２５は図７のように、ＬＣＤ２３と８つのボタン２４から構成されており、新たに追加された印刷開始キー入力処理１５に、図８のように本ボタンと同じようにボタンを配置したウインドウを表示させ印刷開始キーの入力を保存する機能を持たせる。実施例では、’ＥＮＴＥＲ’キーを入力終了キーとしたので、例えば印刷開始キーを’ＯＮＬＩＮＥ’−’ＯＮＬＩＮＥ’−’ＭＥＮＵ’−’ＲＥＳＥＴ’と設定する場合に、’ＯＮＬＩＮＥ’−’ＯＮＬＩＮＥ’−’ＭＥＮＵ’−’ＲＥＳＥＴ’−’ＥＮＴＥＲ’と入力することで、印刷開始キーを設定することが可能になる。設定されたキーは、印刷開始キー送信処理１６で、前記入力された印刷開始キーを図５に示すように印刷形式情報の一部に印刷開始キー情報２２を組込む機能を有している。
【００１６】
さらに、印刷システムでは、展開処理８に印刷開始キー送信処理１６により送信された印刷開始キーを読み出す機能とその読み出した印刷開始キーを印刷開始キー格納テーブルに保存する機能を有する印刷開始キー認識処理１７、操作パネル処理１０にオペレータに印刷開始キーを入力させる機能を有する印刷開始キー入力処理１８と前記入力された印刷開始キーを前記印刷開始キー格納テーブル２０と比較して同じ印刷開始キーがあった場合は、印刷開始キー格納テーブルの該当印刷開始キーのテーブルの印刷開始キー入力済みフラグ２１を印刷開始キー入力有り状態にする機能を有する印刷開始キー比較処理１９を追加している。
【００１７】
次に印刷システムについて図１及び図２により説明する。従来処理と比べ、印刷開始キー入力判定処理１が追加されている。印刷開始キー入力判定処理１では、印刷開始キー格納テーブル２０の印刷開始キー入力済みフラグ２１を参照し（S01）、印刷開始キーが入力されていない場合は、従来処理処理同様にデータを受信し描画データを作成する。印刷開始キー受信判定処理２では受信したデータの中に、印刷開始キー情報が含まれているか否か判定し、含まれていた場合は、印刷開始キー格納テーブル２０に情報をセットする。１ページ分の描画データの作成を完了するまで、前記処理を繰返す。１ページ分の描画データの作成を完了した場合には、描画データを大容量記憶装置に転送する。１ジョブ分の描画データを大容量記憶装置に転送完了するまで前記処理を繰返す。１ジョブ分の転送が完了後、印刷開始キー指定印刷判定処理３で、展開済みのデータが印刷開始キー入力有りのジョブでない場合はエンジン制御処理へ印字命令を行い、印刷開始キー入力有りのジョブの場合は、エンジン制御処理へ印字命令に印字命令せずに、そのまま終了する。(S01)において、印刷開始キーの入力がある場合で、印刷システムがアイドル状態の場合は印刷開始キー格納テーブルの該当テーブルをリセットし、エンジン制御処理へ該当印刷データの印字命令を出すことによって、課題を解決した。
【図面の簡単な説明】
【００１８】
【図１】本発明の実施例の印刷システム動作フロー説明図である。
【図２】本発明の実施例の印刷システム構成図である。
【図３】従来の印刷システム動作フロー説明図である。
【図４】従来の印刷システム構成図である。
【図５】本発明の実施例の印刷データの説明図である。
【図６】従来の印刷データの説明図である。
【図７】従来のオペレータパネルの説明図である。
【図８】従来の印刷開始キー入力処理の説明図である。
【符号の説明】
【００１９】
１  印刷開始キー入力判定処理
２  印刷開始キー受信判定処理
３  印刷開始キー指定印刷判定処理
【図１】
2005202748.tif 000003
【図２】
2005202748.tif 000004
【図３】
2005202748.tif 000005
【図４】
2005202748.tif 000006
【図５】
2005202748.tif 000007
【図６】
2005202748.tif 000008
【図７】
2005202748.tif 000009
【図８】
2005202748.tif 000010